(57)【要約】【課題】電子データがアップロードされる際に、電子データをアップロードするユーザが出席した集会における座席等の位置に応じたフォルダ分けを自動で行うことができるようにすること。【解決手段】電子データ共有システムは、端末と、中継器と、サーバ装置とを有し、前記端末は、前記中継器との間で近距離無線通信を行う端末近距離無線通信手段と、電子データを送信する端末送信手段と、を備え、前記サーバ装置は、前記端末または前記中継器から、前記電子データ及び前記中継器を識別する中継器ＩＤを受信する受信手段と、受信した前記電子データを、受信した前記中継器ＩＤに応じたフォルダに格納する振分手段と、を備えることで上記課題を解決する。【選択図】図２
2016173729.tif 000002
【特許請求の範囲】
【請求項１】
端末と、中継器と、サーバ装置とを有する電子データ共有システムであって、
前記端末は、
前記中継器との間で近距離無線通信を行う端末近距離無線通信手段と、
電子データを送信する端末送信手段と、
を備え、
前記サーバ装置は、
前記端末または前記中継器から、前記電子データ及び前記中継器を識別する中継器ＩＤを受信する受信手段と、
受信した前記電子データを、受信した前記中継器ＩＤに応じたフォルダに格納する振分手段と、
を備える電子データ共有システム。
【請求項２】
前記中継器は、
前記近距離無線通信により、前記サーバ装置に対する要求を受信する中継器近距離無線通信手段と、
受信した前記要求に前記中継器ＩＤを付加して、前記サーバ装置に送信する中継器ＩＤ送信手段と、
を備える請求項１記載の電子データ共有システム。
【請求項３】
前記中継器は、
前記近距離無線通信により、前記端末に対して前記中継器ＩＤを送信する中継器近距離無線通信手段を備え、
前記端末送信手段は、
前記サーバ装置に対する要求に、前記中継器ＩＤを付加して前記サーバ装置に送信する、
請求項１記載の電子データ共有システム。
【請求項４】
前記サーバ装置は、
前記端末または前記中継器から閲覧要求を受信し、受信した閲覧要求に含まれる前記中継器ＩＤに応じて、閲覧可能なフォルダを制限する閲覧制限手段と、
を備える請求項１乃至３いずれか１項に記載の電子データ共有システム。
【請求項５】
前記電子データは、
前記電子データが作成された日時の情報である作成日時情報を含み、
前記閲覧制限手段は、
前記作成日時情報と、前記端末が前記中継器に接続している日時の情報である接続履歴に基づいて、閲覧可能な前記電子データを制限する、
請求項４記載の電子データ共有システム。
【請求項６】
前記サーバ装置は、
前記中継器に対応する子フォルダを、前記中継器が設置されているエリアに対応する親フォルダの中に作成するフォルダ作成手段を備え、
前記振分手段は、
前記端末から前記電子データを前記親フォルダに格納する要求を受信すると、受信した前記電子データを、前記親フォルダに格納する、
請求項１乃至５いずれか１項に記載の電子データ共有システム。
【請求項７】
前記振分手段は、
前記電子データを、所定の網を介して受信したと判断した場合、受信した前記中継器ＩＤに応じたフォルダ内に作成された子フォルダに格納する、
請求項１乃至６いずれか１項に記載の電子データ共有システム。
【請求項８】
前記電子データ共有システムは、
表示装置を有し、
前記サーバ装置は、
前記電子データがフォルダに格納されると、前記表示装置に当該電子データを出力する電子データ出力手段と、
を備える請求項１乃至７いずれか１項に記載の電子データ共有システム。
【請求項９】
前記サーバ装置は、
所定のフォルダに対し、優先度を設定する優先度設定手段を備え、
前記電子データ出力手段は、
前記優先度に応じて、前記表示装置に出力する前記電子データの順番を制御する、
請求項８記載の電子データ共有システム。
【請求項１０】
端末からアップロードされる電子データと、前記端末との間で近距離無線通信を行う中継器を識別する情報である中継器ＩＤとを含むアップロード要求を受信する受信手段と、
受信した電子データを、受信した中継器ＩＤに応じたフォルダに格納する振分手段と、
を備えるサーバ装置。
【請求項１１】
サーバ装置が実行する電子データ共有方法であって、
前記サーバ装置が、
端末からアップロードされる電子データと、前記端末との間で近距離無線通信を行う中継器を識別する情報である中継器ＩＤとを含むアップロード要求を受信する受信ステップと、
受信した電子データを、受信した中継器ＩＤに応じたフォルダに格納する振分ステップと、
を実行する電子データ共有方法。
【請求項１２】
コンピュータに、請求項１１に記載の各ステップを実行させるためのプログラム。
【請求項１３】
アプリケーションプログラムと、中継器と、サーバ装置とを有する電子データ共有システムであって、
前記アプリケーションプログラムは、
前記中継器との間で近距離無線通信を行う端末近距離無線通信ステップと、
電子データを送信する端末送信ステップと、
を端末に実行させ、
前記サーバ装置は、
前記端末または前記中継器から、前記電子データ及び前記中継器を識別する中継器ＩＤを受信する受信手段と、
受信した前記電子データを、受信した前記中継器ＩＤに応じたフォルダに格納する振分手段と、
を備える電子データ共有システム。
【発明の詳細な説明】
【技術分野】
【０００１】
本発明は、電子データ共有システム、電子データ共有方法、及びプログラムに関する。
【背景技術】
【０００２】
結婚披露宴や各種祝賀会等の集会で複数の撮影者が撮影した写真を画像データとしてインターネット等のネットワークを介して希望者に配布するシステムが知られている。
【０００３】
また、特許文献１には、管理者が、各撮影者からインターネットを介して送られてきた画像データに対し、フォルダ分けやアクセス権限の付与などの編集作業を行い、各出席者に配信するシステムが開示されている。
【発明の概要】
【発明が解決しようとする課題】
【０００４】
しかし、特許文献１記載のシステムでは、アップロードされた電子データを共有する場合に、電子データをアップロードするユーザが出席した集会における座席等の位置に応じたフォルダ分けが行えないという問題があった。
【０００５】
そこで、電子データがアップロードされる際に、電子データをアップロードするユーザが出席した集会における座席等の位置に応じたフォルダ分けを自動で行うことができる電子データ共有システムを提供することを目的とする。
【課題を解決するための手段】
【０００６】
端末と、中継器と、サーバ装置とを有する電子データ共有システムを提供する。
【０００７】
この電子データ共有システムにおいて、前記端末は、前記中継器との間で近距離無線通信を行う端末近距離無線通信手段と、電子データを送信する端末送信手段と、を備え、前記サーバ装置は、前記端末または前記中継器から、前記電子データ及び前記中継器を識別する中継器ＩＤを受信する受信手段と、受信した前記電子データを、受信した前記中継器ＩＤに応じたフォルダに格納する振分手段と、を備える。
【発明の効果】
【０００８】
開示の技術によれば、電子データがアップロードされる際に、電子データをアップロードするユーザが出席した集会における座席等の位置に応じたフォルダ分けを自動で行うことができる電子データ共有システムを提供することが可能となる。
【図面の簡単な説明】
【０００９】
【図１Ａ】第１の実施形態に係る電子データ共有システムの概念図である。
【図１Ｂ】第１の実施形態に係る電子データ共有システムの概略構成図である。
【図２】第１の実施形態に係る電子データ共有システムの構成図である。
【図３】予約情報の例を示す図である。
【図４】部屋・第１中継器情報の例を示す図である。
【図５】接続履歴の例を示す図である。
【図６】フォルダを作成する処理のフローチャートである。
【図７】フォルダの構造を示す図である。
【図８】第１の実施形態に係る電子データ共有システムのシーケンス図である。
【図９】第２の実施形態に係る電子データ共有システムの構成図である。
【図１０】第２の実施形態に係る電子データ共有システムのシーケンス図である。
【図１１】第３の実施形態に係る電子データ共有システムの構成図である。
【図１２】第３の実施形態に係る電子データ共有システムのシーケンス図である。
【図１３】端末のハードウェア構成図である。
【図１４】サーバ装置のハードウェア構成図である。
【発明を実施するための形態】
【００１０】
＜第１の実施形態＞
図１Ａは、第１の実施形態に係る電子データ共有システム１の概念図である。図１Ｂは、第１の実施形態に係る電子データ共有システムの概略構成図である。電子データ共有システム１は、端末２と、第１中継器３と、第２中継器４と、サーバ装置５、表示装置７とを有する。第１中継器３は、例えば披露宴等の会場（エリア）の各テーブルに設けられ、第２中継器は、会場内に設けられる。端末２とサーバ装置５との間は、第１中継器３及び第２中継器４により接続さる。
【００１１】
図２は、第１の実施形態に係る電子データ共有システム１の構成図である。
【００１２】
端末２は、スマートフォン、タブレット端末、デジタルカメラ、デジタルビデオカメラ、ノートパソコン等であり、近距離無線通信部２１、制御部２２、端末ＩＤ記憶部２３、表示部２４、操作部２５、撮像部２６、音声入力部２７を有する。
【００１３】
近距離無線通信部２１は、ＢＬＥ（Bluetooth（登録商標） Low Energy）やＮＦＣ（Near field communication）等の近距離無線を用いて、第１中継器との通信を行う。
【００１４】
制御部２２は、ユーザの操作入力や、外部との通信等に応じて、ファイルアップロード要求の生成や、閲覧要求の生成等の処理を行う。
【００１５】
端末ＩＤ記憶部２３は、端末２の識別情報である端末ＩＤを記憶する。端末ＩＤとしては、端末２のＭＡＣアドレス、製造番号、電話番号などを用いればよい。
【００１６】
表示部２４は、端末２上のユーザインタフェースなどの画面を表示する。
【００１７】
操作部２５は、ユーザからの操作入力を受け付ける。
【００１８】
撮像部２６は、静止画や動画等の電子データを作成する。
【００１９】
音声入力部２７は、音声の電子データを作成する。
【００２０】
第１中継器３は、近距離無線通信部３１、第２中継器側送受信部３２、接続認証部３３、第１中継器ＩＤ記憶部３４、接続履歴記憶部３５を有する。
【００２１】
近距離無線通信部３１は、ＢＬＥやＮＦＣ等の近距離無線を用いて、端末２との通信を行う。
【００２２】
第２中継器側送受信部３２は、無線ＬＡＮ等の無線を用いて、第２中継器との通信を行う。
【００２３】
第１中継器ＩＤ記憶部３４は、予め設定された自装置のＩＤである第１中継器ＩＤを記憶しておく。
【００２４】
接続認証部３３は、接続する端末２の認証を行う。認証は、端末２からの電波強度が所定値以上であれば認証成功とする。または、第１中継器３から端末２に対して送信する電波強度を弱く設定し、通信可能な端末２を全て認証成功とする。また、端末２から受信するパスワードや端末ＩＤにより認証を行うようにしてもよい。
【００２５】
接続履歴記憶部３５は、端末２との近距離無線通信による接続と切断を検知し、端末ＩＤ、接続開始日時、接続終了日時を記憶する。
【００２６】
第２中継器４は、中継部４１を有する。
【００２７】
中継部４１は、無線ＬＡＮ等の無線を用いた通信と、有線ＬＡＮやインターネット等の有線を用いた通信を中継する。
【００２８】
表示装置７は、液晶ディスプレイや、プロジェクタ等であり、サーバ装置５から第２中継器４を介して出力された画像、音声を出力する。
【００２９】
サーバ装置５は、予約情報記憶部５１、フォルダ作成部５２、閲覧制限部５３、第１中継器接続履歴管理部５４、振分部５５、電子データ記憶部５６、送受信部５７、電子データ出力部５８、部屋・第１中継器情報管理部５９を有する。
【００３０】
図３は、予約情報の例を示す図である。予約情報記憶部５１は、図３に示す、予約ＩＤ、予約内容、使用される部屋のＩＤである部屋ＩＤ、使用開始日時、使用終了日時を含む予約情報を記憶する。
【００３１】
図４は、部屋・第１中継器情報の例を示す図である。部屋・第１中継器情報管理部５９は、図４に示す、部屋ＩＤ、部屋名、第１中継器ＩＤおよび第１中継器３を設置したテーブルの名前等である第１中継器名を含む部屋・第１中継器情報を記憶する。
【００３２】
図５は、端末２が第１中継器３に接続した履歴である、接続履歴の例を示す図である。第１中継器接続履歴管理部５４は、図５に示す、第１中継器ＩＤ、端末ＩＤ、接続開始日時、接続終了日時を含む接続履歴を記憶する。第１中継器接続履歴管理部５４は、第２中継器４を介して、第１中継器３の接続履歴記憶部３５から、端末２が第１中継器３に接続した履歴である図５に示す接続履歴を、定期的または新たな履歴が生成された際に取得して格納する。
【００３３】
振分部５５は、受信した要求に含まれる電子データを、予約ＩＤおよび第１中継器ＩＤに応じたフォルダに格納する。
【００３４】
電子データ出力部５８は、振分部５５により格納された電子データを、予約ＩＤに対応付けて登録されている表示装置７のアドレスに出力する。
【００３５】
閲覧制限部５３は、端末２から閲覧要求を受信すると、予約ＩＤと第１中継器ＩＤに基づいて、端末２にて閲覧できる電子データを制限する。また、端末２の第１中継器３に対する接続履歴と、電子データの作成日時とに基づいて、端末２にて閲覧できる電子データを制限する。
【００３６】
送受信部５７は、有線ＬＡＮやインターネット等のネットワークを介して、端末２や第２中継器４との通信を行う。
【００３７】
電子データ記憶部５６は、振分部５５からの指示に応じて、電子データを記憶する。
【００３８】
フォルダ作成部５２は、予約情報記憶部５１に新たな予約が登録された際などに、電子データ記憶部５６にフォルダを作成する。
【００３９】
図６は、フォルダを作成する処理のフローチャートである。フォルダ作成部５２は、予約情報記憶部５１に新たな予約が登録されたことを検知すると（ステップＳ１０１）、新たに予約された予約内容、部屋名、使用開始日時、使用終了日時をフォルダ名に含む親フォルダを電子データ記憶部５６に作成する（ステップＳ１０２）。
【００４０】
そして、部屋・第１中継器情報管理部５９に記憶されている図４の部屋・第１中継器情報を参照し、新たに予約された部屋に含まれる第１中継器３の名前を取得する（ステップＳ１０３）。
【００４１】
そして、ステップＳ１０１にて作成した親フォルダ内に、ステップＳ１０２で取得した第１中継器３の名前をフォルダ名に含む子フォルダを作成する（ステップＳ１０４）。
【００４２】
なお、ステップＳ１０１で、新たな予約が登録されたことを検知する代わりに、端末２からのファイルアップロード要求を受信した際に、フォルダを作成するようにしてもよい。
【００４３】
図７は、フォルダ作成部５２が図６の処理により、電子データ記憶部５６に作成するフォルダの構造を示す図である。
【００４４】
図８は、第１の実施形態に係る電子データ共有システム１のシーケンス図である。
【００４５】
まず、端末２は、第１中継器３に対し、端末ＩＤ記憶部２３に格納されている端末ＩＤを含む接続要求を送信する（ステップＳ２０１）。第１中継器３の接続認証部３３は、端末２の認証を行い（ステップＳ２０２）、認証に成功すると、接続履歴記憶部３５は、端末が第１中継器３に接続した履歴である接続履歴を格納する（ステップＳ２０３）。
【００４６】
サーバ装置５の第１中継器接続履歴管理部５４は、定期的に、第１中継器３に対し、第２中継器４を介して、接続履歴を要求する（ステップＳ２０４）。第１中継器３は、サーバ装置５に対し、接続履歴記憶部３５から、端末が第１中継器３に接続した履歴である接続履歴を、第２中継器４を介して返信する（ステップＳ２０５）。サーバ装置５の第１中継器接続履歴管理部５４は、受信した接続履歴を、図５に示すように、第１中継器３のＩＤに対応付けて格納する（ステップＳ２０６）。
【００４７】
端末２のユーザにより、ファイルアップロード操作が行われると、端末２の近距離無線通信部２１は、第１中継器３に対し、作成日時の情報が付加された電子データを含むアップロード要求を送信する（ステップＳ２０７）。第１中継器３は、アップロード要求に第１中継器ＩＤを付加して、第２中継器４を介してサーバ装置５に転送する（ステップＳ２０８）。サーバ装置５の振分部５５は、受信した第１中継器ＩＤをキーとして、図４の部屋・第１中継器情報を検索し、第１中継器ＩＤに対応する部屋ＩＤを取得する。そして、当該部屋ＩＤと現在時刻とに基づき、図３の予約情報を検索し、部屋ＩＤが一致し、現在時刻が使用開始日時と使用終了日時との間に含まれる予約ＩＤを検索する（ステップＳ２０９）。そして、検索した予約ＩＤに対応する予約内容、部屋名、使用開始日時、使用終了日時をフォルダ名に含む親フォルダを検索し（ステップＳ２１０）、当該第１中継器ＩＤをキーとして図４の第１中継器情報を検索し、当該第１中継器ＩＤに対応する第１中継器名を含む当該親フォルダ中の子フォルダを検索する（ステップＳ２１１）。そして、当該子フォルダに、受信した電子データをファイルとして格納するとともに（ステップＳ２１２）、表示装置７に当該電子データを出力し、表示させる（ステップＳ２１３）。
【００４８】
端末２のユーザにより、ファイル閲覧操作が行われると、端末２の近距離無線通信部２１は、第１中継器３に対し、端末ＩＤを含む閲覧要求を送信する（ステップＳ２１４）。第１中継器３は、閲覧要求に第１中継器ＩＤを付加して、第２中継器４を介してサーバ装置５に転送する（ステップＳ２１５）。サーバ装置５の振分部５５は、ステップＳ２０９と同じ処理により予約ＩＤを検索する（ステップＳ２１６）。そして、ステップＳ２１０と同じ処理により親フォルダを検索する（ステップＳ２１７）。そして、ステップＳ２１１と同じ処理により子フォルダを検索する（ステップＳ２１８）。サーバ装置５の閲覧制限部５３は、第１中継器接続履歴管理部５４から、受信した第１中継器ＩＤおよび端末ＩＤに対する接続履歴を検索し、子フォルダに格納されている各ファイルの作成日時が、接続開始日時より予め設定された所定期間前（例えば端末２が第１中継器３に接続する５分前）から、接続終了日時より予め設定された所定期間後（例えば端末２が第１中継器３との接続を終了してから５分後）までの間であるファイルを抽出し、抽出したファイルのサムネイルの一覧を、端末２に送信する（ステップＳ２１９）。端末２は、サムネイルの一覧をユーザに表示し、ユーザによりファイルの選択操作が行われると、サーバ装置５に対し、選択されたファイルのダウンロードを要求する（ステップＳ２２０）。サーバ装置５は、端末２に、指定されたファイルを送信する（ステップＳ２２１）。
【００４９】
なお、ステップＳ２１９で、各ファイルの作成日時、接続開始日時、接続終了日時を用いてファイルを抽出する代わりに、第１中継器接続履歴管理部５４に、受信した第１中継器ＩＤおよび端末ＩＤに対する接続履歴があれば、第１中継器ＩＤに対応する子フォルダ内の全てのファイルを抽出し、閲覧できるようにしてもよい。
【００５０】
また、端末２が、電子データ出力要求を送信し、図示しないサーバ装置５の優先度設定部（「優先度設定手段」の一例）が、電子データ出力要求に含まれる第１中継器ＩＤに対応するフォルダに対して優先度を設定し、電子データ出力部５８が、当該優先度に応じて、表示装置に出力する電子データの順番を制御するようにしてもよい。それにより、例えば、発信機等の所定の端末を携帯した新郎・新婦等が現在廻っているテーブルで撮影された電子データを優先して会場内に表示することができる。
【００５１】
また、図示しないサーバ装置５の優先度設定部が、所定のフォルダに対して優先度を設定し、電子データ出力部５８が、当該優先度に応じて、表示装置に出力する電子データの順番を制御するようにしてもよい。例えば、各子フォルダに対し、ラウンドロビンで優先度を付与する。それにより、表示装置７に出力される電子データを、アップロードされた電子データが多いテーブルで作成されたものに集中しないようにすることができる。
【００５２】
＜第２の実施形態＞
図９は、第２の実施形態に係る電子データ共有システム１の構成図である。
【００５３】
第１の実施形態では、第１中継器３が、端末２とサーバ装置５との間の通信を中継し、端末２からサーバ装置５に対する要求に第１中継器ＩＤを付加して転送する。一方、第２の実施形態では、第１中継器３が、端末２に対し第１中継器ＩＤを通知し、端末２が、サーバ装置５に対する要求に第１中継器ＩＤを付加して送信する。
【００５４】
第２の実施形態では、第１の実施形態と比較し、端末２とサーバ装置５との間は、第１中継器３及び第２中継器４により接続されるのみならず、第２中継器４または伝送網６によっても接続されている。
【００５５】
また、第１の実施形態に加え、以下の構成を備える。
【００５６】
端末２はさらに、認証情報記憶部２９、送受信部２８を有する。
【００５７】
認証情報記憶部２９は、受信した認証情報の記憶を行う。
【００５８】
送受信部２８は、３ＧやＬＴＥ(Long Term Evolution)等を用いた伝送網６との通信、無線ＬＡＮ等を用いた第２中継器４との通信を行う。
【００５９】
第１中継器３はさらに、認証情報通知部３６、サーバ装置アドレス記憶部３７を有する。
【００６０】
サーバ装置アドレス記憶部３７は、伝送網６または第２中継器４を介してサーバ装置５に接続するための、ＵＲＬ等のサーバ装置アドレスを格納する。
【００６１】
認証情報通知部３６は、サーバ装置アドレス記憶部３７に記憶されているサーバ装置アドレスと、第１中継器ＩＤ記憶部３４に記憶されている第１中継器ＩＤとを含む認証情報を、端末２に通知する。
【００６２】
図１０は、第２の実施形態に係る電子データ共有システム１のシーケンス図である。
【００６３】
ステップＳ３０１からステップＳ３０３までは、図８で説明したステップＳ２０１からステップＳ２０３と同じである。ステップＳ３０３の次に、第１中継器３の認証情報通知部３６は、サーバ装置アドレスと第１中継器ＩＤとを含む認証情報を、近距離無線通信部３１を用いて端末２に通知する（ステップＳ３０４）。端末２の認証情報記憶部２９は、受信した認証情報を記憶する（ステップＳ３０５）。ステップＳ３０６からステップＳ３０８までは、図８で説明したステップＳ２０４からステップＳ２０６と同じである。
【００６４】
端末２のユーザにより、ファイルアップロード操作が行われると、端末２の送受信部２８は、第２中継器４または伝送網６を介して、サーバ装置５に対し、認証情報記憶部２９に記憶されているサーバ装置アドレスと第１中継器ＩＤ、および作成日時の情報が付加された電子データを含むアップロード要求を送信する（ステップＳ３０９）。ステップＳ３１０からステップＳ３１４までは、図８で説明したステップＳ２０９からステップＳ２１３と同じである。
【００６５】
端末２のユーザにより、ファイル閲覧操作が行われると、端末２の送受信部２８は、第２中継器４または伝送網６を介して、サーバ装置５に対し、認証情報記憶部２９に記憶されているサーバ装置アドレスと第１中継器ＩＤ、端末ＩＤ記憶部２３に記憶されている端末ＩＤを含む閲覧要求を送信する（ステップＳ３１５）。ステップＳ３１６からステップＳ３２１までは、図８で説明したステップＳ２１６からステップＳ２２１と同じである。
【００６６】
なお、端末２が第１中継器３に接続した際に、第１中継器３から端末２に、第２中継器４に接続するためのＳＳＩＤ等のＩＤとパスワードを通知するようにしてもよい。
【００６７】
また、招待状、席次表、テーブル等に、第１中継器３に接続するためのパスワード、第２中継器４に接続するためのＳＳＩＤ等のＩＤとパスワード、第１中継器３を介さずに第２中継器４または伝送網６を介してサーバ装置５に接続するためのサーバ装置５のＵＲＬ等のアドレスやパスワード等の情報を格納したＱＲコード（登録商標）を印刷して添付しておき、端末２に読み取らせるようにしてもよい。それにより、第１中継器３、第２中継器４、サーバ装置５にて、パスワードによる認証を行うことができる。
【００６８】
＜第３の実施形態＞
図１１は、第３の実施形態に係る電子データ共有システム１の構成図である。
【００６９】
第３の実施形態では、サーバ装置５が、端末２に対し、予約ＩＤおよび第１中継器ＩＤを通知し、端末２が、サーバ装置５に対する要求に予約ＩＤおよび第１中継器ＩＤを付加して送信する。
【００７０】
第３の実施形態では、第２の実施形態と比較し、第１中継器３が認証情報通知部３６、サーバ装置アドレス記憶部３７を有する代わりに、サーバ装置５が認証情報通知部６０、サーバ装置アドレス記憶部６１を有する。
【００７１】
図１２は、第３の実施形態に係る電子データ共有システム１のシーケンス図である。
【００７２】
ステップＳ４０１からステップＳ４０３までは、図８で説明したステップＳ２０１からステップＳ２０３と同じである。ステップＳ４０３の次に、第１中継器３は、第２中継器側送受信部３２は、第１中継器ＩＤとを含む認証情報要求を、第２中継器４を介してサーバ装置５に送信する（ステップＳ４０４）。サーバ装置５の振分部５５が、図８のステップＳ２０９と同じ処理により予約ＩＤを検索する（ステップＳ４０５）。サーバ装置５の認証情報通知部６０は、サーバ装置アドレス記憶部６１に記憶しているサーバ装置アドレスと、検索した予約ＩＤと、受信した第１中継器ＩＤとを含む認証情報を、第２中継器４、第１中継器３を介して端末２に通知する（ステップＳ４０６）。端末２の認証情報記憶部２９は、受信した認証情報を記憶する（ステップＳ４０７）。ステップＳ４０８からステップＳ４１０までは、図８で説明したステップＳ２０４からステップＳ２０６と同じである。
【００７３】
端末２のユーザにより、ファイルアップロード操作が行われると、端末２の送受信部２８は、第２中継器４または伝送網６を介して、サーバ装置５に対し、認証情報記憶部２９に記憶されているサーバ装置アドレス、予約ＩＤ、第１中継器ＩＤ、および作成日時の情報が付加された電子データを含むアップロード要求を送信する（ステップＳ４１１）。ステップＳ４１２からステップＳ４１５までは、図８で説明したステップＳ２１０からステップＳ２１３と同じである。
【００７４】
端末２のユーザにより、ファイル閲覧操作が行われると、端末２の送受信部２８は、第２中継器４または伝送網６を介して、サーバ装置５に対し、認証情報記憶部２９に記憶されているサーバ装置アドレス、予約ＩＤ、第１中継器ＩＤ、および端末ＩＤ記憶部２３に記憶されている端末ＩＤを含む閲覧要求を送信する（ステップＳ４１６）。ステップＳ４１７からステップＳ４２１までは、図８で説明したステップＳ２１７からステップＳ２２１と同じである。
【００７５】
それにより、現在時刻が集会による部屋の使用終了日時以降であっても、ファイルのアップロードや閲覧が可能となる。また、サーバ装置５がファイルアップロード要求や閲覧要求を受信した際に、図１０のステップＳ３１０やステップＳ３１６における予約ＩＤを検索する処理が不要となる。
【００７６】
なお、サーバ装置５の振分部５５は、送信元アドレス等の情報により伝送網６を介してアップロードされたと判断し、かつ電子データの作成時刻が予約ＩＤに対応する予約開始日時から予約終了日時との間でないと判断した場合は、アップロードされた電子データを、子フォルダの中に「会場外からのアップロード」等の名前の孫フォルダを作成して格納するようにしてもよい。なお、その場合、閲覧制限部５３は、子フォルダを閲覧できるユーザに対しては、当該孫フォルダも閲覧できるようにアクセス権限を付与し、また、当該孫フォルダ内のファイルについては接続履歴に基づく閲覧制限は行わない。それにより、閲覧の際に、同じテーブルのユーザが、結婚式の二次会等、本システムの第１中継器３、第２中継器４が設置された会場外からアップロードした電子データである旨をユーザに通知することができる。
【００７７】
また、サーバ装置５から端末２に送信する認証情報に、予約ＩＤ、第１中継器ＩＤに加えて、予約内容、部屋名、使用開始日時、使用終了日時、第１中継器３の名前も含めて通知して端末２に記憶させておき、ファイル閲覧操作の際に、端末に記憶されている予約ＩＤや第１中継器ＩＤが複数ある場合に、予約内容や第１中継器３の名前をユーザに表示して、閲覧する予約ＩＤや第１中継器ＩＤを選択できるようにしてもよい。
【００７８】
＜変形例＞
なお、サーバ装置５が、アップロードされた電子データをファイルとして格納する際、子フォルダの中に、写真、音声、動画等の電子データの種類をフォルダ名とした孫フォルダを作成し、電子データの種類に応じた孫フォルダに電子データを格納するようにしてもよい。
【００７９】
また、サーバ装置５が第１中継器３から接続履歴を取得する代わりに、端末２にて第１中継器、接続開始日時、接続終了日時を含む接続履歴を記憶しておき、端末２が当該接続履歴を閲覧要求に含めてサーバ装置５に送信するようにしてもよい。
【００８０】
また、ファイルアップロード操作の際、ユーザが入力したユーザ名も含めたアップロード要求を送信し、サーバ装置５が、子フォルダの中にユーザ名をフォルダ名とした孫フォルダを作成し、孫フォルダに電子データを格納するようにしてもよい。
【００８１】
また、ファイルアップロード操作の際、サーバ装置５から第１中継器３の名前等の情報を端末２に通知し、端末２にて当該名前をユーザに表示し、アップロードする際のテーブルが正しいかをユーザに確認するようにしてもよい。
【００８２】
また、ファイルアップロード操作の際、予約ＩＤに対応する親フォルダに電子データを格納するようユーザが指定できるようにしてもよい。なお、その場合、閲覧制限部５３は、子フォルダを閲覧できるユーザに対しては、親フォルダも閲覧できるようにアクセス権限を付与し、親フォルダ内のファイルについては、接続履歴に基づく閲覧制限は行わない。それにより、閲覧の際に、会場全体を撮影した写真等は、ユーザのテーブルに関係なく閲覧させることができる。
【００８３】
また、ファイルアップロード操作の際、端末２が第１中継器３と接続していた期間と無関係に閲覧できるようユーザが指定できるようにしてもよい。なお、その場合、閲覧制限部５３は、親フォルダ内のファイルについては、接続履歴の接続開始時間、接続終了時間、電子ファイルの作成時間に基づく閲覧制限は行わない。それにより、閲覧の際に、撮影等の際にテーブルを離れていたユーザにも閲覧させることができる。
【００８４】
また、第１中継器３と第２中継器４は、同じ筐体内に設けてもよい。
【００８５】
端末２とサーバ装置５との間を、第２中継器４を介さずに、第１中継器３のみを介して接続してもよい。
【００８６】
なお、上述した実施形態における、端末２、第１中継器３、第２中継器４、サーバ装置５が接続されたシステム構成は一例であり、用途や目的に応じて様々なシステム構成例があることは言うまでもない。
【００８７】
＜ハードウェア構成＞
端末２は、例えば図１３に示すハードウェア構成により実現される。図１３は本実施形態に係る端末の一例のハードウェア構成図である。図１３の端末２は、ＣＰＵ２０１、ＲＯＭ２０２、ＲＡＭ２０３、ＥＥＰＲＯＭ２０４、ＣＭＯＳセンサ２０５、メディアドライブ２０８を備えている。
【００８８】
ＣＰＵ２０１は、端末２全体の動作を制御する。ＲＯＭ２０２は、基本入出力プログラムを記憶している。ＲＡＭ２０３はＣＰＵ２０１のワークエリアとして使用される。ＥＥＰＲＯＭ２０４は、ＣＰＵ２０１の制御にしたがってデータの読み出し又は書き込みを行う。ＣＭＯＳセンサ２０５は、ＣＰＵ２０１の制御に従って被写体を撮像し画像データを得る。
【００８９】
メディアドライブ２０８は、フラッシュメモリ等の記録メディア２０７に対するデータの読み出し又は書き込み（記憶）を制御する。メディアドライブ２０８は、既に記録されていたデータが読み出され又は新たにデータが書き込まれて記憶する記録メディア２０７を着脱自在な構成となっている。
【００９０】
なお、ＥＥＰＲＯＭ２０４には、ＣＰＵ２０１が実行するＯＳ、ネットワーク設定に必要なアソシエーション情報等が記憶されている。本発明の実施形態における各種処理を実行するためのアプリケーションは、ＥＥＰＲＯＭ２０４又は記録メディア２０７などに記憶されている。
【００９１】
また、ＣＭＯＳセンサ２０５は光を電荷に変換して被写体の画像を電子化する電荷結合素子である。ＣＭＯＳセンサ２０５は被写体を撮像することができるのであれば、例えばＣＣＤ（Charge  Coupled  Device）センサであってもよい。
【００９２】
さらに、端末２は音声入力部２０９、音声出力部２１０、アンテナ２１１、通信部２１２、無線ＬＡＮ通信部２１３、近距離無線通信用アンテナ２１４、近距離無線通信部２１５、ディスプレイ２１６、タッチパネル２１７及びバスライン２１９を備えている。
【００９３】
音声入力部２０９は音声を音声信号に変換する。音声出力部２１０は音声信号を音声に変換する。通信部２１２はアンテナ２１１を利用して無線通信信号により最寄りの基地局装置と通信を行う。無線ＬＡＮ通信部２１３はアクセスポイントとＩＥＥＥ８０４１１規格に準拠する無線ＬＡＮ通信を行う。近距離無線通信部２１５は近距離無線通信用アンテナ２１４を利用した近距離無線通信を行う。
【００９４】
ディスプレイ２１６は、被写体の画像や各種アイコン等を表示する液晶や有機ＥＬ等である。タッチパネル２１７は、ディスプレイ２１６上に載せられ、感圧式又は静電式のパネルによって構成され、指やタッチペン等によるタッチによってディスプレイ２１６上におけるタッチ位置を検出する。バスライン２１９は上記各部を電気的に接続するためのアドレスバスやデータバス等である。
【００９５】
また、端末２は、専用の電池２１８を備えている。端末２は電池２１８によって駆動される。なお、音声入力部２０９は、音声を入力するマイクが含まれる。音声出力部２１０は、音声を出力するスピーカが含まれている。
【００９６】
このように、本実施形態に係る端末２は上記ハードウェア構成により上述したような各種処理を実現できる。
【００９７】
サーバ装置５は例えば図１４に示すハードウェア構成のコンピュータシステムにより実現される。図１４は本実施形態に係るコンピュータシステムの一例のハードウェア構成図である。
【００９８】
図１４のコンピュータシステム５００は、入力装置５０１、外部Ｉ／Ｆ５０３、ＲＡＭ５０４、ＲＯＭ５０５、ＣＰＵ５０６、通信Ｉ／Ｆ５０７及びＨＤＤ５０８などを備え、それぞれがバスＢで相互に接続されている。入力装置５０１はキーボードやマウスなどを含み、コンピュータシステム５００に各操作信号を入力するために用いられる。
【００９９】
ＨＤＤ５０８は、プログラムやデータを格納している不揮発性の記憶装置である。格納されるプログラムやデータには、コンピュータシステム５００全体を制御する基本ソフトウェアであるＯＳ（Operating System）、及び、ＯＳ上において各種機能を提供するアプリケーションプログラムなどがある。ＨＤＤ５０８は、格納しているプログラムやデータを所定のファイルシステム及び／又はＤＢ（Data Base）により管理している。
【０１００】
外部Ｉ／Ｆ５０３は、外部装置とのインターフェースである。外部装置には、記録媒体５０３ａなどがある。これにより、コンピュータシステム５００は外部Ｉ／Ｆ５０３を介して、記録媒体５０３ａの読み取り及び／又は書き込みを行うことができる。なお、記録媒体５０３ａにはフレキシブルディスク、ＣＤ、ＤＶＤ（Digital Versatile Disk）、ＳＤメモリカード、ＵＳＢ（Universal Serial Bus）メモリ等がある。
【０１０１】
ＲＯＭ５０５は、電源を切ってもプログラムやデータを保持することができる不揮発性の半導体メモリ（記憶装置）である。ＲＯＭ５０５には、コンピュータシステム５００の起動時に実行されるＢＩＯＳ（Basic Input/Output System）、ＯＳ設定、及びネットワーク設定などのプログラムやデータが格納されている。ＲＡＭ５０４は、プログラムやデータを一時保持する揮発性の半導体メモリ（記憶装置）である。
【０１０２】
ＣＰＵ５０６は、ＲＯＭ５０５やＨＤＤ５０８などの記憶装置からプログラムやデータをＲＡＭ５０４上に読み出し、処理を実行することで、コンピュータシステム５００全体の制御や機能を実現する演算装置である。
【０１０３】
本実施形態に係るコンピュータシステム５００は、上記ハードウェア資源、プログラム及びデータの組み合わせにより、ハードウェア資源とプログラムとが協働して、上述したような各種処理を実現できる。
【符号の説明】
【０１０４】
１  電子データ共有システム
２  端末
２１  近距離無線通信部（「端末近距離無線通信手段」、「端末送信手段」の一例）
２２  制御部
２３  端末ＩＤ記憶部
２６  撮像部
２７  音声入力部
２８  送受信部（「端末送信手段」の一例）
２９  認証情報記憶部
３  第１中継器
３１  近距離無線通信部（「中継器近距離無線通信手段」の一例）
３２  第２中継器側送受信部（「中継器ＩＤ送信手段」の一例）
３３  接続認証部
３４  第１中継器ＩＤ記憶部
３５  接続履歴記憶部
３６  認証情報通知部
３７  サーバ装置アドレス記憶部
４  第２中継器
５  サーバ装置
５１  予約情報記憶部
５２  フォルダ作成部（「フォルダ作成手段」の一例）
５３  閲覧制限部（「閲覧制限手段」の一例）
５４  第１中継器接続履歴管理部
５５  振分部（「振分手段」の一例）
５６  電子データ記憶部
５７  送受信部（「受信手段」の一例）
５８  電子データ出力部（「電子データ出力手段」の一例）
５９  部屋・第１中継器情報管理部
６０  認証情報通知部
６１  サーバ装置アドレス記憶部
６  伝送網
７  表示装置
【先行技術文献】
【特許文献】
【０１０５】
【特許文献１】特開２０１３−１７１５１０号公報
【図１Ａ】
2016173729.tif 000003
【図１Ｂ】
2016173729.tif 000004
【図２】
2016173729.tif 000005
【図３】
2016173729.tif 000006
【図４】
2016173729.tif 000007
【図５】
2016173729.tif 000008
【図６】
2016173729.tif 000009
【図７】
2016173729.tif 000010
【図８】
2016173729.tif 000011
【図９】
2016173729.tif 000012
【図１０】
2016173729.tif 000013
【図１１】
2016173729.tif 000014
【図１２】
2016173729.tif 000015
【図１３】
2016173729.tif 000016
【図１４】
2016173729.tif 000017